(57)【要約】【課題】対象は上製本に限られるが、従来と全く同じ製本工程で製造でき、また書棚収容時における管理も容易であり、しかも価格的な観点から実使用が可能なＩＣタグ付き本を提供すること。【解決手段】本文における背の部分の天地両端に花ぎれ８を貼着してなる本であって、少なくとも天地いずれか一方の花ぎれ８にテープ状のＩＣタグ又はインレット１０を貼着した構成とする。ＩＣタグ又はインレットを貼着した花ぎれを使用するだけで、余計な工程を付加することなく、従来と全く同じ製本工程で作製することができる。しかも、大量生産による安価なＩＣタグ又はインレットをしおり紐に沿って貼着するだけであるので、コスト的に見ても実使用が可能である。天側の花ぎれにＩＣタグ又はインレットを貼着しておくことで、書棚での管理を行う際に、ハンディタイプのリーダ／ライタで本の上部付近をなぞるようにして、データの遣り取りを容易かつ確実に行うことができる。【選択図】図３
2006305740.tif 000002
【特許請求の範囲】
【請求項１】
本文における背の部分の天地両端に花ぎれを貼着してなる本であって、少なくとも天地いずれか一方の花ぎれにテープ状のＩＣタグ又はインレットを貼着したことを特徴とするＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしており、ＩＣタグが隠れて見えないという利点を有している。しかしながら、製本工程の途中で本の背側の所定位置にＩＣタグをセットする必要があるので作製が全く簡単であるとは言えず、また、ＩＣタグの取付位置によっては書棚収容時における読取りが簡単ではないという問題点もある。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このインレットを用いてタグ化することで、各種用途に応じた形態のＩＣタグを製造することができるようになっており、ＩＣタグの普及を図る上においてこの小さくて安価なインレットを利用することが望ましいという背景がある。
【０００６】
本発明は、上記のような問題点や事情に鑑みてなされたものであり、その目的とするところは、対象は上製本に限られるが、従来と全く同じ製本工程で製造でき、また書棚収容時における管理も容易であり、しかも価格的な観点から実使用が可能なＩＣタグ付き本を提供することにある。
【課題を解決するための手段】
【０００７】
上記の目的を達成するため、本発明のＩＣタグ付き本は、本文における背の部分の天地両端に花ぎれを貼着してなる本であって、少なくとも天地いずれか一方の花ぎれにテープ状のＩＣタグ又はインレットを貼着したことを特徴としている。
【発明の効果】
【０００８】
本発明のＩＣタグ付き本は、花ぎれを有する上製本でありさえすれば、ＩＣタグ又はインレットを貼着した花ぎれを使用するだけで、余計な工程を付加することなく、従来と全く同じ製本工程で作製することができる。しかも、大量生産による安価なＩＣタグ又はインレットを花ぎれに貼着するだけであるので、コスト的に見ても実使用が可能である。そして、天側の花ぎれにＩＣタグ又はインレットを貼着しておくことで、書棚での管理を行う際に、ハンディタイプのリーダ／ライタで本の上部付近をなぞるようにして、データの遣り取りを容易かつ確実に行うことができる。
【発明を実施するための最良の形態】
【０００９】
以下、具体例を挙げて本発明の実施の形態について説明する。
【００１０】
図１は本発明に係るＩＣタグ付き本の一例を示す斜視図、図２は図１のＩＣタグ付き本を開いた状態で示す斜視図、図３は図１のＩＣタグ付き本をその表紙を取り付ける前の状態で示す一部拡大斜視図である。
【００１１】
これらの図に示すＩＣタグ付き本Ｂは、製本様式が上製本と呼ばれる本である。すなわち上製本とは、糸綴じした中身を丸背、角背又は角山に固め、別に表紙貼りした表紙を着せて仕上げる様式のことをいう。上製本には各部分にそれぞれ名称が付いており、１は表紙の背、２は表紙の平（ひら）、３は溝、４は耳、５はチリ、６は見返し、７は見返しの遊び、８は花ぎれ、９はしおり紐（スピン）である。また、ａは天、ｂは地、ｃは小口である。そして、図３に示すように、この上製本における天側の花ぎれ８にはテープ状をしたＩＣタグ用のインレット１０が貼着されている。
【００１２】
花ぎれ８は、上製本に用いる製本資材の一つで、本文における背の部分の天地両端に貼り付ける小さな布のことである。本来は色糸を交互に折丁に縫い付け、本を丈夫にするとともに装飾の役目を果たしたものであるが、現在では、一般に縞柄などを模造した布を用いており、装飾用として本文の背の天地両端に貼り付けている。
【００１３】
インレット１０としては、図４に示すようなものが使用される。このインレット１０は、０．１〜１ｍｍ角の小さなＩＣチップ１１を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。この外部アンテナ１２付きのＩＣチップ１１は、アンテナ内蔵型のＩＣチップを用いたものよりは通信距離が長く、広い範囲で用いることができるものである。なお、本発明で使用するインレットは特に限定されるものでなく、種々のタイプのものが使用可能である。
【００１４】
このようなインレット１０は、印刷技術によりアンテナを作製することと、超音波接合技術により安価なフィルム素材を利用することで、大量生産でき、安価に供給することができる。
【００１５】
図１及び図２に示した上製本の製造工程は、まず、（１）突き揃え・断裁、（２）折り、（３）貼り込み、（４）丁合い、（５）かがり・均し、（６）下固め、（７）三方断裁、という中本作りの工程があり、次いで、（８）表紙貼り、（９）スピン入れ、（10）バッキング、（11）背貼り、（12）くるみ、（13）イチョウプレス、という上製本のラインがあり、最後には必要に応じてカバー掛けや売上スリップの挿入などがある。
【００１６】
花ぎれの取付けは（９）のスピン入れの後で行われる。スピン入れは、リボン挿入機を使用して行われる。中本のほぼ真ん中を開いて、ここにロール状になったしおり紐９を、必要な長さにカットしてくるりと巻き込むようにして入れる。次に、背の上端にヒーターで熱を与え、下固めした時のエマルジョンを溶かして、しおり紐９の根元を接着する。花ぎれ８は、この工程の後でしおり紐９の根元部分を覆うようにして中本の背の上端に貼着する。また、同様の花切れ８を中本の背の下端にも貼着する。
【００１７】
図１及び図２に示すＩＣタグ付き本Ｂを製造するには、予めテープ状のインレット１０を花ぎれ８に貼着しておく。そして、このインレット付きの花ぎれ８を中本の背の天側に貼着し、地側には通常の花ぎれを貼着する。このように、スピン入れの後、中本における背の部分の天地両端に花ぎれ８を貼着していわゆる中本が完成する。この中本と表紙とを一体化させる上製本ラインにかけることでＩＣタグ付き本Ｂが出来上がるのである。
【００１８】
また、本発明のＩＣタグ付き本は、上記で説明したようなインレットを貼着するものの他に、ＩＣタグそのものを花切れに貼着したものでもよい。
【００１９】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【００２０】
例えば、上記の例では、天側の花ぎれにのみＩＣタグ又はインレットを貼着した例を挙げたが、地側の花ぎれの方に貼着してもよく、要は少なくとも天地いずれか一方の花ぎれにＩＣタグ又はインレットが貼着されていればよい。
【００２１】
また、本のサイズによって花ぎれの横幅が異なるので、使用するテープ状のＩＣタグ又はインレットは、極端に曲がらないように、花ぎれの横幅を考慮して適宜の長さのものを選択する。
【図面の簡単な説明】
【００２２】
【図１】本発明に係るＩＣタグ付き本の一例を示す斜視図である。
【図２】図１のＩＣタグ付き本を開いた状態で示す斜視図である。
【図３】図１のＩＣタグ付き本をその表紙を取り付ける前の状態で示す一部拡大斜視図である。
【図４】本発明で使用するインレットの一例を示す平面図である。
【符号の説明】
【００２３】
Ｂ  ＩＣタグ付き本
１  背
２  平（ひら）
３  溝
４  耳
５  チリ
６  見返し
７  見返しの遊び
８  花ぎれ
９  しおり紐（スピン）
１０  インレット
１１  ＩＣチップ
１２  外部アンテナ
１３  ベースフィルム
１４  スリット
ａ  天
ｂ  地
ｃ  小口
【図１】
2006305740.tif 000003
【図２】
2006305740.tif 000004
【図３】
2006305740.tif 000005
【図４】
2006305740.tif 000006